(57)【要約】  通信システム用の終端ストリップ（１）が、ストリップの第１の側部（９）に沿った対向する２列の接点（１３）と、その反対側のストリップの第２の側部（１０）に沿った対向する２列の接点（１３）と、ストリップの各端部の装着機構（１５）であって、第１の側部の接点が電線をその接点と接続するためにアクセス可能である状態で、ストリップをキャリア（３）に取り外し可能に装着することが可能となる、装着機構（１５）とを備える。この終端ストリップはまた、ストリップの外側の電線案内要素（２４、２９）であって、第１の側部の接点に接続された電線（３０）をストリップの少なくとも一方の端部で保持することができるように付形され、それによって、ストリップをキャリアから取り外し、ストリップの端部の間に延びる中心軸を中心として回転させ、第２の側部の接点が電線をその接点に接続するためにアクセス可能である状態で、キャリア上に再配置することを可能にする、電線案内要素を備える。【選択図】図７Ｃ
2012530331.tif 000002
【特許請求の範囲】
【請求項１】
通信システム用の終端ストリップであって、該ストリップの第１の側部に沿った２列の接点と、その反対側の該ストリップの第２の側部に沿った２列の接点と、該ストリップの各端部の装着機構であって、前記第１の側部の前記接点が電線をその接点と接続するためにアクセス可能である状態で、該ストリップをキャリアに取り外し可能に装着することが可能となる、装着機構と、該ストリップの外側の電線案内要素であって、前記第１の側部の接点に接続された電線を該ストリップの少なくとも一方の端部で保持することができるように付形され、それによって、該ストリップを前記キャリアから取り外し、該ストリップの前記端部の間に延びる中心軸を中心として回転させ、前記第２の側部の前記接点が電線をその接点に接続するためにアクセス可能である状態で、該キャリア上に再配置することを可能にする、電線案内要素と、を備える、終端ストリップ。
【請求項２】
前記電線案内要素は、前記第１の側部の前記接点に接続された電線を前記ストリップの両端部に保持することができるように付形されている、請求項１に記載の終端ストリップ。
【請求項３】
それぞれの電線案内要素は、前記第１の側部の前記列の接点に対し、前記ストリップの対向する側面に設けられている、請求項１又は２に記載の終端ストリップ。
【請求項４】
前記電線案内要素はアームを備え、接点に接続された電線は、前記ストリップが回転される間、前記アームの後方に保持され得る、請求項１〜３のいずれか一項に記載の終端ストリップ。
【請求項５】
前記第１の側部の接点に接続された電線は前記アームの後方でループ状にされることができ、前記ストリップは、前記ストリップの周辺内に前記ループを保持するために電線保持要素を備える、請求項４に記載の終端ストリップ。
【請求項６】
前記ストリップは、前記装着機構を含めて、前記ストリップの前記端部の間に延びる中心軸に関して対称である、請求項１〜５のいずれか一項に記載の終端ストリップ。
【請求項７】
各装着機構は、対称に配置された一対のレバーアームを備え、前記レバーアームの各々は、前記キャリアの開口部に係合可能な対応するフックに関連付けられ、前記フックの１つは、前記キャリアに前記ストリップを装着するために使用され、他のフックに関連付けられた前記レバーアームは、前記キャリアから前記ストリップを解放するように操作可能である、請求項６に記載の終端ストリップ。
【請求項８】
前記ストリップに電子部品を装着するための、対称に構成された前記ストリップ上の箇所を備える、請求項６又は７に記載の終端ストリップ。
【請求項９】
通信システム用の終端ストリップを取り付ける方法であって、前記ストリップは、前記ストリップの第１の側部に沿った対向する２列の接点と、その反対側の前記ストリップの第２の側部に沿った対向する２列の接点とを備え、前記方法は、
前記第１の側部の前記接点がアクセス可能である状態でキャリアに前記ストリップを配置し、前記第１の側部の接点に電線を接続する工程と、
前記ストリップの一方の端部又は両方の端部で前記電線を保持する工程と、
前記第２の側部の前記接点がアクセス可能となる前記キャリア上の位置に前記ストリップを運ぶために、前記ストリップの前記端部の間に延びる中心軸を中心として前記ストリップを回転させる工程と、
前記第２の側部の接点に電線を接続する工程と、を含む、方法。
【請求項１０】
前記ストリップの前記第１の側部の対向する列の接点に接続された前記電線は、それぞれ、前記ストリップの対向する側面に位置する、請求項９に記載の方法。
【発明の詳細な説明】
【技術分野】
【０００１】
本発明は、通信システムの配線ポイントにある通信モジュールで使用するための終端ストリップに関する。本発明はまた、キャリアと少なくとも１つの終端ストリップとを備える通信モジュールに関し、また通信モジュールに終端ストリップを取り付ける方法に関する。
【背景技術】
【０００２】
通信の分野において、多数の顧客（加入者とも呼ばれる）が、通信回線及びモジュールを介して通信会社の交換局（スイッチとしても知られる）に接続されている。通信モジュールは、引込み線と引出し線との間の電気接続を確立する。複数の通信モジュールが、通信会社の中央局に設置された主配線盤などの配線ポイント、中間配線盤、いくつかの街路若しくは住宅に供給し得る外部キャビネット、又は、例えばオフィスビル内若しくはオフィスビルの特定のフロア上に配置された配線ポイントにおいて、おそらくは他の通信構成要素と共に組み立てられ得る。通信回線には第１の通信モジュールに永久に接続され得るものもあり、交換され得るいわゆる「ジャンパ」が、それらの第１のモジュール内の電気接点と他のモジュール内の電気接点との間の非永久的な接続をなすために使用される。
【０００３】
通信システム内において引込み線と引出し線との間で、通常はシステムケーブルの電線とジャンパケーブルの電線との間で電気接続を確立するために、複数の接点要素を備える終端ストリップが通信モジュール内で使用される。複数の終端ストリップが通常、好適なキャリア、例えばバックマウントフレーム上に組み付けられる。様々なタイプの終端ストリップが周知である。
【０００４】
通信サービスが絶えず拡大するのに伴って、通信アセンブリを可能な限り小型化すること、またそれと同時に、取付け手順を簡潔にして費用効果的に実施され得るようにすることが、ますます必要とされている。引込み線及び引出し線が接続される接点を有する複数の接点要素を備える終端ストリップの場合、電線と接点要素の接点との接続を、ストリップの一方の側部だけでなく、対向する２つの縦側部でなすことができれば、更に小型の構成が達成され得る（それによって、限られた空間で確立され得る接続密度を増加させ得る）ことが知られている。そのような「両面」タイプの終端ストリップは、引込み線及び引出し線をストリップのそれぞれの側部に分離することができ、利用可能なあらゆる空間をより効率的に利用できるという利点をもたらす。「両面」タイプの終端ストリップは、例えば、米国特許第４  ６１８  ２０４号（サリニー（Saligny））、同第５  ５４９  ４８９号（バゲット（Baggett）ら）、同第６  ０６８  ５０３号（ゲルケ（Gerke）ら）、及び同第６  ０６９  ９５１号（ドンケ（Dohnke））、オーストラリア特許第２００６／２０２８９１号（Ｒ＆Ｍ社（Reichle & de Massari AG））、欧州特許第１  ２４６  ３１７号（スリーエム・イノベイティブ・プロパティーズ社（3M Innovative Properties Company））、英国特許第２  ３４３  ５６３号（ポータ・システムズ社（Porta Systems Corporation））、並びに国際公開第２００６／１３２９７２号（コムスコープ・ソリューションズ・プロパティーズ社（Commscope Solutions Properties））に記載されている。
【０００５】
本発明はまた、両面タイプの終端ストリップに関し、また、取付け手順の複雑さを増すことなくそのような終端ストリップにおいて確立される接続密度の向上を可能にすること、更には、取付け手順の簡略化を可能にすることに関連する。
【０００６】
国際公開第２００８／０２４０８５号（トルコ・テレコミニケーション社（Turk Telekominikasyon A.S.））及び国際公開第２００９／０４６４８１号（ＡＤＣ社（ADC GmbH））にはいずれも、例えば配線盤内の利用可能な空間をより効率的に活用することを目的とした両面終端ストリップが記載されており、その両面終端ストリップにおいて、ストリップの対向する２つの縦側部の各々にある接点要素は平行な２列をなして配置される。
【発明の概要】
【課題を解決するための手段】
【０００７】
本発明は通信システム用の終端ストリップを提供するものであり、その終端ストリップは、ストリップの第１の側部に沿った対向する２列の接点と、その反対側のストリップの第２の側部に沿った対向する２列の接点と、ストリップの各端部にある装着機構であって、第１の側部の接点が電線をその接点と接続するためにアクセス可能である状態で、ストリップをキャリアに取り外し可能に装着することが可能となる、装着機構と、ストリップの外側の電線案内要素であって、第１の側部の接点に接続された電線をストリップの少なくとも一方の端部で保持することができるように付形され、それによって、ストリップをキャリアから取り外し、ストリップの端部の間に延びる中心軸を中心として回転させ、第２の側部の接点が電線をその接点に接続するためにアクセス可能である状態で、キャリア上に再配置することを可能にする、電線案内要素とを備える。
【０００８】
本発明は、ストリップ内の接点が、ストリップの対向する縦側部上に、対向する２列をなして配置される場合、より小型の終端ストリップが達成され得るが、その場合、通信モジュール内でのストリップの取付けを容易にすることが、一層重要となるという認識に基づいている。
【０００９】
本発明は、一方の側部の電線が終端されているときにもう一方の側部の電線を終端できるようにするために、モジュールの対向端部の間に延びる中心軸を中心として、終端ストリップが装着されるキャリアに対して、終端ストリップを比較的容易に回転させることを可能にすることによって、この問題に対処する。この手順の間、終端ストリップの電線案内要素は、ストリップに接続された電線の整理を容易にする。本発明は、キャリアに対する終端ストリップに沿った接点要素の位置が依然として同じとなるため、誤って配線する可能性を低下させることができる。
【００１０】
一実施形態において、本発明による終端ストリップの電線案内要素は、第１の側部の接点に接続された電線をストリップの両端部で保持できるように付形される。その場合、ストリップは、ストリップの端部で保持された電線の間で回転される。好ましくは、それぞれの電線案内要素は、第１の側部の接点の対向する列に対し、ストリップの対向する側面に設けられる。
【００１１】
電線案内要素は、ストリップが回転される間、第１の側部の接点に接続された電線を後方に保持できるアームを備えてもよい。有利にも、第１の側部の接点に接続された電線はアームの後方でループ状にされ、それによって、ストリップが回転される間の電線の管理を容易にすることができる。このストリップは、ストリップの周辺内に電線のループを保持するために、電線保持要素を更に備えてもよく、これらの要素は、例えば、ストリップ上でペグ、リブ又はクリップの形を取るものであってもよい。
【００１２】
本明細書で説明する本発明のある実施形態において、終端ストリップは、ストリップの端部の間に延びる中心軸に関して対称であり、キャリアへのストリップの初期配置を容易にすることができるという利点をもたらす。別の態様において、ストリップは、いずれの配列の接点もがアクセス可能であり、それによってストリップの配置が更に容易となる状態で、一方向でのみキャリアに装着され得るように設計されてもよい。
【００１３】
有利にも、終端ストリップは、実質的に同一の接点要素を備え、各接点要素の端部は、ストリップの第１及び第２の側部に接点を設ける。対向する列をなす接点は通常、ストリップの対向する側面に平行でありかつ隣接する。
【００１４】
キャリアは、概ねＵ字形状の横断面を有するバックマウントフレームを備え、終端ストリップは、フレームのアームの自由な側に装着される。
【００１５】
本発明は、通信システム用の終端ストリップを取り付ける方法を更に提供し、そのストリップは、ストリップの第１の側部に沿った対向する２列の接点と、その反対側のストリップの第２の側部に沿った対向する２列の接点とを備え、この方法は、
第１の側部の接点がアクセス可能である状態でキャリアにストリップを配置し、第１の側部の接点に電線を接続する工程と、
ストリップの一方の端部又は両方の端部で電線を保持する工程と、
第２の側部の接点がアクセス可能となるキャリア上の位置にストリップを運ぶために、ストリップの端部の間に延びる中心軸を中心としてストリップを回転させる工程と、
第２の側部の接点に電線を接続する工程とを含む。
【００１６】
本発明のある実施形態において、電線は、ストリップの外側の電線案内要素によって保持される。
【００１７】
別の方法において、接点の列の一方に電線を接続するために、第１の側部の接点に接続する電線の一部分が、ストリップを廻って渡される。次いで、ストリップは、電線の一部分を暴露し、第２の側部の接点がアクセス可能となるキャリア上の位置にストリップを運ぶために、ストリップの端部の間に延びる中心軸を中心として回転され、電線は次いで、その側部の接点に接続される。そのような方法の利用に従えば、第１の側部の列の一方の接点に接続された電線は、もう一方の列の接点に接続された電線よりも相当に長いものとなる。
【００１８】
単に一例として、通信システム用の終端ストリップについて、添付の図面を参照して説明することにする。
【図面の簡単な説明】
【００１９】
【図１】引込みの対線及び引出しの対線の接続に先立ってキャリア上に配置された終端ストリップの斜視図。
【図２】キャリアから取り外された図１の終端ストリップのうちの１つの斜視図。
【図３】図２の終端ストリップの一方の側面を示している。
【図４】図３の矢印４の方向における、終端ストリップの一方の縦側部の図。
【図５】図３の矢印５の方向における、終端ストリップの一方の横側部の図。
【図６】図２と類似しているが、接点要素が現れるように分離された終端ストリップの２つの半部を示している。
【図７Ａ】図１〜６の終端ストリップに対線を接続する一方法の様々な段階を示している。
【図７Ｂ】図１〜６の終端ストリップに対線を接続する一方法の様々な段階を示している。
【図７Ｃ】図１〜６の終端ストリップに対線を接続する一方法の様々な段階を示している。
【図７Ｄ】図１〜６の終端ストリップに対線を接続する一方法の様々な段階を示している。
【図７Ｅ】図１〜６の終端ストリップに対線を接続する一方法の様々な段階を示している。
【図８Ａ】図１〜６の終端ストリップに対線を接続する別の方法の様々な段階を示している。
【図８Ｂ】図１〜６の終端ストリップに対線を接続する別の方法の様々な段階を示している。
【図８Ｃ】図１〜６の終端ストリップに対線を接続する別の方法の様々な段階を示している。
【図９】図９は図１と類似しているが、終端ストリップ及びキャリアの修正形態を示している。
【図１０】図９の終端ストリップのうちの１つの一方の端部の、その端部がキャリアと係合する点における詳細図。
【図１１】図１１は図９と類似しているが、終端ストリップ及びキャリアの更なる修正形態を示している。
【図１２】図１、９及び１１の終端ストリップにおける使用に好適な接続接点要素の斜視図。
【図１３】図１２の接点要素の平面図。
【図１４】図１２の接点要素の側面図。
【図１５】一対の接点要素の斜視図であり、各接点要素は図１２〜１４に示すもの。
【図１６】対向する２対の接点要素の斜視図であり、各対は図１５に示すもの。
【図１７】図１、９及び１１の終端ストリップにおける使用に好適な切換え接点要素の斜視図。
【図１８】図１７の接点要素の平面図。
【図１９】図１８の矢印１９の方向における接点要素の側面図。
【図２０】接点要素が図１７〜１９のものであることを除き、図１６に類似している。
【図２１】橋絡要素と組み合わされた図２０の接点要素の側面図。
【図２２Ａ】別の切換え接点要素の平面図及び側面図。
【図２２Ｂ】別の切換え接点要素の平面図及び側面図。
【図２３Ａ】更に別の切換え接点要素の平面図及び側面図。
【図２３Ｂ】更に別の切換え接点要素の平面図及び側面図。
【発明を実施するための形態】
【００２０】
図１は、バックマウントフレーム３の形態をなすキャリアに装着された終端ストリップ１を示している。終端ストリップは３つのみ示されているが、図示のようなバックマウントフレームは、全体で１０のそのようなストリップを収容することができる。他のバックマウントフレーム又はキャリアが、異なる個数の終端ストリップを収容してもよい。各終端ストリップは、対向する２つの側面５、６（それらのうち、１つのストリップの面５のみが図１で確認できる）と、対向する横側部７、８と、対向する縦側部９、１０とを有している。以下で更に詳細に説明するように、引込み対線と引出し対線とを接続する接点要素（図１では確認できない）が各終端ストリップ１内にある。バックマウントフレーム３は、Ｕ字形状の横断面を有する従来のタイプであり、その上に、終端ストリップ１を図示のように、側面５、６が互いに平行となる状態で、バックマウントフレーム３の自由縁部１１上の各端部で支持して装着することができる。図示のように、終端ストリップ１とフレーム３の背面との間の空間が、終端ストリップに接続される対線の束を備えるケーブルを収容するために利用可能である。
【００２１】
ここで、終端ストリップ１について、図２〜６を参照して更に詳細に説明することにする。終端ストリップは、縦側部９、１０に平行な中央縦平面に沿って会合する２つのプラスチックハウジング部品１Ａ、１Ｂを備え、これらのプラスチックハウジング部品１Ａ、１Ｂは、適切に配置された留め具によって保持される。ハウジング部品１Ａ、１Ｂは同一であり、そのため、完成したハウジングはその中央縦平面に関して対称である。図６は、終端ストリップ内の接点要素１２が現れるように分離されたハウジング部品１Ａ、１Ｂを示しており、接点要素１２は、向かい合う２列をなして並列に配置されている。ハウジング部１Ａ、１Ｂが組み立てられると、接点要素１２は、終端ストリップ１の対向する縦側部９、１０の間で延びる。各接点要素１２は、終端ストリップの一方の縦側部上では、通信システムのシステムケーブルから出た電線の導体に、また、もう一方の縦側部上では、ジャンパケーブルから出た電線の導体に接続するために、通常の圧接接点（ＩＤＣ）１３を各端部に有している。ＩＤＣ  １３は、接点要素１２と同様に、向かい合う２列をなして並列に配置されており、ＩＤＣ  １３の各々は、状況に応じて回線／ジャンパ線を既知の方式で挿入するために、終端ストリップの本体内にある対応する押込みスロット１４と関連付けられたスロットを有しており、１つの列内の隣接するＩＤＣの各対は、対応する加入者用の対線に割り当てられている。接点要素１２は、現時点では詳しく説明しないが、以下で図１２〜２３を参照して更に詳細に説明する接続接点要素又は切換え接点要素を備えていてもよい。
【００２２】
終端ストリップ１は、バックマウントフレーム上にストリップを装着するためのレバー機構１５を、横側部７、８に隣接する各端部に設けられている。各レバー機構１５は、それぞれの横側部７、８の中央領域から延びており、終端ストリップの前方及び後方にそれぞれ向けられた２本のアーム１６、１７を備えている。各アーム１６、１７は、終端ストリップの隣接する横側部と共に、スロット１８、１９をそれぞれ画定しており、終端ストリップの方向に応じて、それらスロット１８、１９の中にバックマウントフレーム３の縁部１１を挿入することができる。各アーム１６、１７はフック２０、２１を更に備え、それらフック２０、２１は、隣接するスロットの中へと突き出ており、バックマウントフレームの縁部１１に隣接する開口部１１Ａに係合して終端ストリップを定位置に固定することを目的としている。各アーム１６、１７の外側端部はグリップ２２として形成されており、このグリップ２２によってアームは、バックマウントフレーム３から終端ストリップを取り外す必要があるとき、それぞれフック２０、２１を移動させて開口部１１Ａとの係合を解除するように旋回されることができ、また、ラベルなどの付属品を装着するために使用されてもよい。
【００２３】
電線案内リング２３が、各レバー機構１５の中央領域から外向きに突き出ており、これは、以下で説明するように、終端ストリップ１のＩＤＣ  １３に配線されている対線の束を管理する際に使用するためのものである。
【００２４】
また、終端ストリップ１は、各側面５、６上に、外側端部から中央に向かって各側面５、６の縦軸に平行に延びる２本の電線案内アーム２４を設けられており、ここで、電線案内アーム２４は、それらの間の小さな間隙２５で終端し、その間隙２５の中に、対線の束を以下で説明するように案内することができる。各側面５、６は、起立ペグ２７の形態をなす電線保持／分離要素と、隣接する電線案内アーム２４の端部の下方で弾性的に係合するようにレバー機構１５から延びる電線保持クリップ２９とを更に設けられている。各電線保持クリップ２９は、隣接する電線案内アーム２４の後方に対線の束が押しやられるように押し下げられ得るが、次いでアームと再び係合して案内アームの後方で対線を保持する。
【００２５】
使用の際、終端ストリップ１は従来の方式で使用されて、システムケーブル（例えば主ケーブル又は配線ケーブル）からの対線を加入者用のジャンパ線に接続する。システムケーブルからの対線は、終端ストリップの縦側部９、１０の一方のＩＤＣに接続され、ジャンパ線は、もう一方の縦側部のＩＤＣに接続される。しかしながら、終端ストリップのハウジングは、２つのハウジング部品１Ａ、１Ｂの接合部に関して対称であるため、取付け手順を開始するのに先立って終端ストリップのこれら２つの側部を取付け者が区別する必要はない。つまり、取付けは、フレームの反対に向いた２つの縦側部９、１０のいずれから開始されてもよく、初期の方向が正しくないがために、必要な付属品を後にフレームに装着する際に問題に直面することはない。
【００２６】
ここで、終端ストリップ１をバックマウントフレーム３に取り付ける方法について、図７Ａ〜７Ｅを参照して説明することにする。終端ストリップ１は、縦側部９をフレームの反対に向けた状態で、バックマウントフレーム３上に既に装着されており、終端ストリップとフレームの背面との間の空間に位置する、システムケーブルからの対線は、終端ストリップの各側面５、６全体に行き渡らされ、電線案内アーム２４の下に通され、ストリップの縦側部９の各列内のＩＤＣ  １３に接続されていると想定される（図７Ａ）。次いで、同様に終端ストリップとバックマウントフレーム３の背面との間の空間に位置するジャンパケーブルからの対線を接続するために、終端ストリップ１は、もう一方の縦側部１０のＩＤＣにアクセス可能となるように反転される必要がある。
【００２７】
終端ストリップ１（システムケーブルからの対線を接続済み）はまず、バックマウントフレーム３からラッチ解除され、バックマウントフレーム３から持ち上げられる（図７Ｂ）。次いで、各側面５、６上の電線は、２つの束３０（各電線案内アーム２４の後方に１つ）に分離され、終端ストリップのそれぞれの端部に向けられる（図７Ｃ）。ここで終端ストリップ１は、図７Ｄに示す位置を経て、ストリップの各側部上の分離した電線束の間で、縦軸（すなわち、レバー機構１５の間に延びる中心軸）を中心として１８０°回転される。次いで、電線束をループ３１へと付形するために、終端ストリップの各端部にある電線束は、電線保持クリップ２９の後方へ押しやられることができ、次いで、終端ストリップは、バックマウントフレームに新たな方向で再配置される。
【００２８】
ここで、終端ストリップ１の各側面は図７Ｅに示す外観を有する。電線束３０のループ３１の形状は、終端ストリップの側面５、６の起立ペグ２７によって、またループがストリップの端部を越えて延びることを防止する電線保持クリップ２９によって決定される。
【００２９】
ここで、終端ストリップ１の縦面１０の２列のＩＤＣ  １３は、ストリップの両端部の電線案内リング２３を通じてＩＤＣに送られる、ジャンパケーブルからの対線（図示せず）の接続のためにアクセス可能となる。終端ストリップの側面５、６上の起立ペグ２７は、電線束３０のループ３１を拘束するように既に機能しているが、ここで更に、これらのループからジャンパ線を分離するように機能している。
【００３０】
ジャンパ線を接続するために、終端ストリップ１を、その縦軸を中心として回転させる利点は、ストリップの一方の縦側部上のシステムケーブル接続部が、ストリップのもう一方の縦側部上の加入者ケーブル接続部と適合するようにすることが、より容易になるということである。例えば、終端ストリップが２０対の対線に対する接続部を有し、その対線のうちの１０対（バックマウントフレームの一方の側から１〜１０の番号を付ける）がストリップの一方の側部を伝い、他の１０対（バックマウントフレームの同じ側から１１〜２０の番号を付ける）がストリップのもう一方の側部を伝う場合、図７Ａ〜７Ｅを参照して説明したように終端ストリップが回転された後、対１及び１１はバックマウントフレームの同じ側に残り、その結果、より容易に位置決めされる。この利点は、比較的簡潔な電線案内アーム２４を終端ストリップ１の側面５、６に設けることにより、長尺の供給又はジャンパケーブルの長さを使い切ることなく達成され、それによって、終端ストリップの端部にて、供給ケーブルからの対線を束３０へと分離することが容易となり、説明したようにストリップを回転させることが可能となる。更にペグ２７及び電線保持クリップ２９を終端ストリップ１の側面５、６に設けることにより、電線束のループ３１の広がりが制限され、配線されたストリップがそのストリップ自体の他に空間を占めることがなくなる。
【００３１】
図７Ａ〜７Ｅを参照して上述した方法を用いることによって達成される更なる利点は、システムケーブルに加わるすべての力が、システムケーブルの各電線を、その電線が接続されているＩＤＣ  １３のスロットの更に中へと引き込む効果を有し、それにより、接続部に損傷を与えるのではなく、むしろ接続部を固定する傾向が得られることである。これを鑑みると、終端ストリップ上のカバーなどの更なる固定手段の必要性が排除され得る。
【００３２】
図７Ａ〜７Ｅを参照して説明した取付け手順は、図１〜６に示すような終端ストリップと共にのみ用いることに限定されず、ストリップの縦側部の両方に２列をなすＩＤＣを有する任意の終端ストリップに応用可能であることが理解されよう。
【００３３】
また、電線案内アーム２４、ペグ２７、及び電線保持クリップ２９は、同じ機能を果たす、終端ストリップ上の他の形体で置き換えられ得ることが明らかとなろう。
【００３４】
図８Ａ〜８Ｃは、両方の縦側部に２列の接点を有する終端ストリップを取り付ける方法を概略的に示しており、この方法はまた、ストリップを、その縦軸を中心として１８０°回転させることを含むが、ストリップに電線案内アーム２４を設けることを必要としない。この場合、終端ストリップ１’をバックマウントフレーム３に装着した状態で、システムケーブルからの対線の束４０は、ストリップの側面の一方（例えば面５）を横切って、終端ストリップとバックマウントフレームの背面との間の空間から引き出される。図８Ａに示すように、電線束は半分に分割され、一方の半部４１の電線は、終端ストリップ１’の前向きの縦側部９上の隣接する列内にあるＩＤＣに接続される。図８Ｂに示すように、電線束のもう一方の半部４２は、終端ストリップ１’を廻ってもう一方の側面６へと渡され、この半部の電線は、ストリップの縦側部９上の他の列内にあるＩＤＣに接続される。別法として、２０対の束が１つではなく、１０対の束が２つ存在する場合、一方の束の電線は、終端ストリップ１’の前向きの縦側部９に隣接する列内にあるＩＤＣに接続され、もう一方の束の電線は、ストリップを廻ってもう一方の側面６へと渡される。
【００３５】
終端ストリップ１’（システムケーブルからの対線を接続済み）はここで、バックマウントフレーム３からラッチ解除され、バックマウントフレーム３から持ち上げられ、その縦軸（すなわち、ストリップの横側部７、８の間に延びる中心軸）を中心として、図８Ａに示す紙面から前方に縦側部９を向ける方向に１８０°回転される。次いで、新たな方向でバックマウントフレーム３に再配置される。ここで、終端ストリップ１’の縦面１０上の２列のＩＤＣは、図７Ｂを参照して上述したように、ストリップの両端部の電線案内リングを通じてＩＤＣに送られ得るジャンパケーブルからの対線の接続のためにアクセス可能となる。
【００３６】
この取付け方法に従って、システムケーブルからの電線束４０の両半部４１、４２は、図８Ｃに示すように、終端ストリップ１’とバックマウントフレーム３の背面との間の空間内に配置され得る。言うまでもなく、電線束４０の半部４２は、この方法の最初の段階でストリップ１’を廻って渡された結果として、もう一方の半部４１よりも相当に長いものとなる。しかしながら、この方法は（図７Ａ〜７Ｄを参照して上述した方法と同様に）、ストリップの一方の縦側部上のシステムケーブル接続部がストリップのもう一方の縦側部上の加入者ケーブル接続部と一致するようにすることが容易となるという有利な結果を有する。
【００３７】
図９及び１０は、図１の終端ストリップ１及びバックマウントフレーム３の修正形態を示しており、この修正形態は、終端ストリップが取付け手順の間に横軸を中心として誤って反転され、間違った方向でフレームに装着される（すなわち、ストリップの側面５ではなく側面６が図９に現れることになり、そのため、ストリップの一方の縦側部上のシステムケーブル接続部が、ストリップのもう一方の縦側部上の加入者ケーブル接続部と一致しないという可能性を必然的に伴う）ことが生じないようにすることを目的としている。この目的で、図９の終端ストリップ１において、各ストリップの一方の端部（図９に示す右手側の端部）にあるレバー機構１５は、更なる規準機構４５（図１０にも示す）を設けられており、この規準機構４５は、バックマウントフレーム３のそれぞれの側部の縁部１１にある、対応して付形された切欠き４６に係合する。バックマウントフレーム３のもう一方の側部の縁部１１はこの切欠き４６を有しておらず、規準構成４５を有するレバー機構１５がこの縁部と係合し、その結果、終端ストリップ１がバックマウントフレームに間違って装着されることが起こり得ないようになっている。このように、ストリップを取り外し、正しい方向で再び取り付けることが必要となる誤り（場合によっては、システム及び／又はジャンパケーブルを再切断することが必要となり、十分な予備ケーブルが利用できない場合には更なる困難につながることもある）を生じる可能性を増大させることなく、経験の少ない人員によって終端ストリップの取付けが実施され得るため、相当な効率の向上が達成され得る。
【００３８】
図１１は、図９及び１０に関連して説明した修正形態と同様の目的を果たす、終端ストリップ１及びバックマウントフレーム３の別の修正形態を示している。この場合、バックマウントフレームの２つの側部は、開口部１１Ａの寸法によって区別され、この開口部１１Ａにレバー機構１５のフック２０、２１が係合して、終端ストリップがフレームに装着される。具体的には、バックマウントフレームの一方の側（図１１に示すように右側）の開口部１１Ａは、フレームのもう一方の側の開口部１１Ａよりも大きく、終端ストリップ１のレバー機構１５上のフック２０、２１（図１１では見えない）も同様に付形されており、その結果、ストリップがバックマウントフレームに誤って装着されることが起こり得ないようになっている。
【００３９】
図９〜１１を参照して説明した修正形態は、ストリップがフレームに誤って装着されることを防止する必要があるとき、終端ストリップとバックマウントフレームの任意の組み合わせに応用され得ることが理解されよう。しかしながら、これらの修正形態は、それ以外の点では対称である（したがって、バックマウントフレーム上に誤った方向でより安易に装着され得る）終端ストリップに、また、ストリップの対向する２つの側部に対線用の２列の接続部を有する終端ストリップ（この終端ストリップの場合、ストリップの方向を誤ると配線が不整合となり得る）に特に応用可能である。
【００４０】
ここで、終端ストリップ１における使用に好適な接点要素について、図１２〜２３を参照して説明することにする。
【００４１】
図１２〜１４は接続接点要素５０を示しており、この接続接点要素５０は、すなわち、この要素の２つの端部にあるＩＤＣ  １３の間に永久的な接続をもたらすものであり、これらのＩＤＣ  １３は、使用時に、終端ストリップ１の対向する縦側部９、１０にてアクセス可能である。接点要素５０は、その２つの端部領域５２の間に幅狭部分５１を有し、この幅狭部分５１は、接点要素の隣接部５３をそれらの端部領域の一方に向けて折り返すことによって形成されたものである。接点要素５０の幅狭部分５１はしたがって、実質的に、ＩＤＣ  １３の電線受容スロット５４と接する縦軸の一方の側に存在する。接点要素は、折り返し部５３は別として概ね平面的であるが、終端ストリップ１のハウジング内のその接点要素の位置に確実に保持されるように、またＩＤＣ  １３のスロットの幅の調節が可能となるように、特定の領域では既知の様式で形作られている。加えて、接点要素の各端部領域５２は、接点要素をハウジング内に更に固定するために、終端ストリップのそれぞれハウジング部品１Ａ、１Ｂに係合可能な留め具５５を備えている。
【００４２】
図１５は、一方の端部ではシステムケーブルからの対線を、もう一方の端部ではジャンパケーブルからの対線を受容するように並べて組み立てられた２つの接点要素５０を示している。図１５から分かることであるが、接点要素５０の一方は、要素の平面に垂直な中心軸を中心として他方に対して１８０°回転されており、そのため、２つの接点要素の幅狭部分５１は互いに隣接して存在し、折り返し部５３は反対の方向に延びている。
【００４３】
この接点要素の対は、単列をなす接点要素の各対の一部として終端ストリップに取り付けられてもよい。別法として、この対は、図１、９又は１１を参照して上述したように、２列をなす接点要素の各対のうちの一部として終端ストリップに取り付けられてもよい。後者の場合、２列をなす接点要素は、図１６に示すような対向する接点要素の対を構成してもよく、接点要素の各対は同一であり、各々は図１５に示すとおりであるが、一方の対は、縦軸を中心として他方の対に対して１８０°回転されていることが分かる。
【００４４】
図１５及び１６の接点対を使用する際、接点要素５０の折り返し部５３は、既知の方式で信号を入力するために終端ストリップの中に挿入された第３の要素（例えば、プリント回路基板（ＰＣＢ）、過電圧保護回路（ＯＶＰ）、又はテストプラグ）によって係合され得る接点バネを形成する。接点バネ５３の非対称的な配置により、接点要素の特定の形状に対し、接点バネの間の空間が最大となり、これによって、種々の加入者回線間の良好な漏話減衰量が達成され得ることが知られている。接点バネ５３の非対称的な配置は更に、接点要素の端部領域５２内で（すなわち、接点要素のいずれかの幅を増加させることなく）達成され、１列に沿った接点要素の対の間隔を最小にすることが可能となる。接点要素５０は、図１５及び１６のいずれの構成も１つの接点要素の設計で設けられ得るという更なる利点をもたらす。
【００４５】
必要であれば、接点要素５０の幅狭部分５１は、隣接する１対の接点要素の間の領域に一定の最小の空間が設けられるように（例えば図示のように）形作られてもよい。これは、例えば、終端ストリップのハウジング部品１Ａ、１Ｂのプラスチック材料（通常、接点要素を互いに絶縁するように機能する）がこの領域に存在しない場合に必要となり得る。
【００４６】
図１７〜１９は、切換え接点要素６０を示しており、これはすなわち、接点要素の２つの端部のＩＤＣ  １３の間で切換え可能な接続をもたらすものである。接点要素は２つの部品６１、６１’をなしており、部品６１は端部領域６３と接点バネ６５（事実上、接点要素５０の接点バネ５３を持つ１つの端部領域５２に対応する）とを備え、部品６１’は、端部領域６３’と接点バネ６５’（事実上、接点要素５０の幅狭部分５１を持つ１つの端部領域５２に対応する）とを備える。
【００４７】
図２０は、接続接点要素５０に関して図１５及び１６を参照して上述したように、接点要素６０がどのようにして、対をなして横に並んで、また対向する対をなして終端ストリップに組み立てられ得るかを示している。この場合、しかしながら、接続を達成するために終端ストリップに挿入された第３の要素（例えば、架橋プラグ、プリント回路基板（ＰＣＢ）、又は過電圧保護回路（ＯＶＰ））と、接点バネ６５、６５’が係合しない限り、接点要素の端部のＩＤＣ  １３の間に接続は存在しない。図２１は例えば、４つの接点要素すべての端部でＩＤＣ  １３の間の接続を達成するために、対向する１対の接点要素６０の間に挿入されたそのような接続要素６７を示している。
【００４８】
図１４と１９とを比較することによって分かることであるが、切換え接点要素６０は、接続接点要素５０と比べて、終端ストリップ１の側面５、６の間の空間を広く占有しない。この点において、切換え接点要素６０が提供する機能性を考慮すると、切換え接点要素６０は、通常は接続接点要素よりも広い空間を必要とする従来の切断接点要素に勝る利点をもたらす（空間が重要視される場合）。
【００４９】
図２２及び２３は、どのようにして他の形態の切換え接点要素７０、７１が、図２２Ａ及び２２Ｂにおいては接点要素６０の部品６１と類似した２つの部品を使用して、また図２３Ａ及び２３Ｂにおいては接点要素６０の部品６１’と類似した２つの部品を使用して構成され得るかを示している。
【００５０】
図１２〜２３を参照して説明した接点要素が、図１〜６を参照して上述したものとは異なる形態の終端ストリップにおいて使用され得ることが明らかとなろう。同様に、図１〜６を参照して説明した終端ストリップは、図１２〜２３を参照して説明したものとは異なる形態の接点要素を用いることができる。しかしながら、説明した終端ストリップと説明した接点要素との組み合わせは、製造上の特定の利点をもたらし、その利点は、終端ストリップ内の同一のハウジング部品と、標準的な形態の接点要素を使用する結果として生じるものである。
【００５１】
上述した終端ストリップはまた、本発明者らの同時係属中の英国特許出願第０９１０１９９．９号において記載され、特許請求されている。上述した接点要素もまた、本発明者らの同時係属中の英国特許出願第０９１０２１１．２号及び同第０９１０２１６．１号において記載され、特許請求されている。
【図１】
2012530331.tif 000003
【図２】
2012530331.tif 000004
【図３】
2012530331.tif 000005
【図４】
2012530331.tif 000006
【図５】
2012530331.tif 000007
【図６】
2012530331.tif 000008
【図７Ａ】
2012530331.tif 000009
【図７Ｂ】
2012530331.tif 000010
【図７Ｃ】
2012530331.tif 000011
【図７Ｄ】
2012530331.tif 000012
【図７Ｅ】
2012530331.tif 000013
【図８Ａ】
2012530331.tif 000014
【図８Ｂ】
2012530331.tif 000015
【図８Ｃ】
2012530331.tif 000016
【図９】
2012530331.tif 000017
【図１０】
2012530331.tif 000018
【図１１】
2012530331.tif 000019
【図１２】
2012530331.tif 000020
【図１３】
2012530331.tif 000021
【図１４】
2012530331.tif 000022
【図１５】
2012530331.tif 000023
【図１６】
2012530331.tif 000024
【図１７】
2012530331.tif 000025
【図１８】
2012530331.tif 000026
【図１９】
2012530331.tif 000027
【図２０】
2012530331.tif 000028
【図２１】
2012530331.tif 000029
【図２２Ａ】
2012530331.tif 000030
【図２２Ｂ】
2012530331.tif 000031
【図２３Ａ】
2012530331.tif 000032
【図２３Ｂ】
2012530331.tif 000033
【国際調査報告】
2012530331.tif 000034
2012530331.tif 000035